(57)【要約】  【目的】  繰返しを伴う予定入力を，容易に行うことができるようにする。  【構成】  予定内容を表すデータ，ならびに期間を定める始期データおよび終期データを含む期間データの入力が受付けられる。さらに，周期的な時点（毎日，毎週の特定曜日等）（繰返し）のそれぞれを特定する周期データの入力が受付けられる。上記期間データによって特定される期間における，上記周期データによって特定される日または日時のそれぞれについての予定展開データが作成され，予定内容データ，期間データ，周期データおよび予定展開データを含むレコードが作成される。  【選択図】  図１１
2007025737.tif 000002
【特許請求の範囲】
【請求項１】
予定内容を表すデータの入力を受付ける第１の受付手段，
期間を定める始期データおよび終期データを含む期間データ，ならびに周期的に訪れる時点のそれぞれを特定する周期データの入力を受付ける第２の受付手段，
上記期間データによって特定される期間における，上記周期データによって特定される日または日時のそれぞれについての予定展開データを作成する展開手段，ならびに
上記第１の受付手段によって受付けられた予定内容データおよび期間データ，上記第２の受付手段によって受付けられた周期データ，ならびに展開手段によって作成された予定展開データを含むレコードを作成するレコード作成手段，
を備えたスケジュール管理装置。
【請求項２】
上記周期データは，時刻，日，曜日，週，月またはこれらの組合せによって定められる，請求項１に記載のスケジュール管理装置。
【請求項３】
上記レコードを読込む読込み手段，
一方向に時間目盛をもつ背景上の，上記期間データによって規定される位置に，上記期間データによって規定される長さを持つバーを，上記予定内容とともに表示するバー表示手段，ならびに
上記バー表示手段によって表示されるバーに重ね合わせて，上記予定展開データのそれぞれによって規定される位置に，予定欄を表示する予定欄表示手段，
を備えた請求項１に記載のスケジュール管理装置。
【請求項４】
予定欄のそれぞれについて，予定内容の実施済または中止の入力を受付ける実績入力手段，
上記実績入力手段によって予定内容の実施済または中止の入力が受付けられたときに，その予定欄に，予定内容の実施済または中止を表すマークを表示するとともに，上記予定展開データに，予定内容の実施済または中止を表すデータを含ませる，
請求項３に記載のスケジュール管理装置。
【請求項５】
予定内容を表すデータの入力を受付ける第１の受付処理，
期間を定める始期データおよび終期データを含む期間データ，ならびに周期的に訪れる時点のそれぞれを特定する周期データの入力を受付ける第２の受付処理，
上記期間データによって特定される期間における，上記周期データによって特定される日または日時のそれぞれについての予定展開データを作成する展開処理，ならびに
上記第１の受付処理によって受付けられた予定内容データおよび期間データ，上記第２の受付処理によって受付けられた周期データ，ならびに上記展開処理によって作成された予定展開データを含むレコードを作成するレコード作成処理，
をコンピュータに実行させるスケジュール管理プログラム。
【請求項６】
上記周期データは，時刻，日，曜日，週，月またはこれらの組合せによって定められる，請求項５に記載のスケジュール管理プログラム。
【請求項７】
上記レコード作成処理によって作成された上記レコードを読込む読込み処理，
一方向に時間目盛をもつ背景上の，上記期間データによって規定される位置に，上記期間データによって規定される長さを持つバーを，上記予定内容とともに表示するバー表示処理，ならびに
上記バー表示処理によって表示されるバーに重ね合わせて，上記予定展開データのそれぞれによって規定される位置に，予定欄を表示する予定欄表示処理，
をコンピュータに実行させる請求項５に記載のスケジュール管理プログラム。
【請求項８】
予定欄のそれぞれについて，予定内容の実施済または中止の入力を受付ける実績入力処理をコンピュータにさらに実行させ，
上記実績入力処理によって予定内容の実施済または中止の入力が受付けられたときに，その予定欄に，予定内容の実施済または中止を表すマークを表示するとともに，上記予定展開データに，予定内容の実施済または中止を表すデータを含ませる，
請求項７に記載のスケジュール管理プログラム。
【請求項９】
予定内容を表すデータの入力を第１の受付手段によって受付け，
期間を定める始期データおよび終期データを含む期間データ，ならびに周期的に訪れる時点のそれぞれを特定する周期データの入力を第２の受付手段によって受付け，
上記期間データによって特定される期間における，上記周期データによって特定される日または日時のそれぞれについての予定展開データを展開手段によって作成し，
上記第１の受付手段によって受付けられた予定内容データおよび期間データ，上記第２の受付手段によって受付けられた周期データ，ならびに展開手段によって作成された予定展開データを含むレコードをレコード作成手段によって作成する，
スケジュール管理装置の制御方法。
【発明の詳細な説明】
【技術分野】
【０００１】
この発明は，記録やスケジュールの管理のために用いられるコンピュータ・システム（スケジュール管理装置）およびスケジュール管理のためのプログラムに関する。
【背景技術】
【０００２】
福祉現場，医療現場等では，医師，看護師，技師，介助者等によって施設利用者に対して様々なサービス（食事，投薬，検温，排泄介助など）が施される。施設利用者に対するサービスの中には，医師，専門職員等の指示に応じて，看護師，介助者等がサービスを提供するものがある。
【０００３】
特許文献１には，医師等による指示データと，看護師等による実施データとを関連づけて記録することによって，指示の実施漏れ，重複実施などの医療ミスを減少させる電子カルテ装置が記載されている。
【０００４】
医師等による指示内容の多くはその実施予定日時の指示を伴う。そして，実施予定日時を伴う指示には，毎日，毎週の特定曜日，隔週の特定曜日といった繰返しを伴うものも多い。
【０００５】
特許文献１では，実施予定日時について一切考慮されていない。たとえ，医師等によって入力される指示データに実施予定日時が付随するとしても，指示データのそれぞれについて，一つ一つ実施予定日時を入力する必要がある。
【特許文献１】特開平１１−６６２１３号公報
【発明の開示】
【０００６】
この発明は，繰返しを伴う予定入力を，容易に行うことができるようにすることを目的とする。
【０００７】
この発明はまた，繰返しを伴う予定を，見やすくかつ分かりやすい形で表示できるようにするものである。
【０００８】
この発明によるスケジュール管理装置は，予定内容を表すデータの入力を受付ける第１の受付手段，期間を定める始期データおよび終期データを含む期間データ，ならびに周期的に訪れる時点のそれぞれを特定する周期データの入力を受付ける第２の受付手段，上記期間データによって特定される期間における，上記周期データによって特定される日または日時のそれぞれについての予定展開データを作成する展開手段，ならびに上記第１の受付手段によって受付けられた予定内容データおよび期間データ，上記第２の受付手段によって受付けられた周期データ，ならびに展開手段によって作成された予定展開データを含むレコードを作成するレコード作成手段を備えたものである。
【０００９】
この発明によるスケジュール管理プログラムは，予定内容を表すデータの入力を受付ける第１の受付処理，期間を定める始期データおよび終期データを含む期間データ，ならびに周期的に訪れる時点のそれぞれを特定する周期データの入力を受付ける第２の受付処理，上記期間データによって特定される期間における，上記周期データによって特定される日または日時のそれぞれについての予定展開データを作成する展開処理，ならびに上記第１の受付処理によって受付けられた予定内容データおよび期間データ，上記第２の受付処理によって受付けられた周期データ，ならびに上記展開処理によって作成された予定展開データを含むレコードを作成するレコード作成処理をコンピュータに実行させるものである。
【００１０】
この発明は，上記スケジュール管理装置を制御する方法も提供する。
【００１１】
作成されるレコードは，予定内容を表すデータ，期間データ，周期データおよび予定展開データを含む。これらのデータを一つのレコードに格納してもよいし，これらのデータを複数のレコードに格納して，その複数のレコードを互いに関連付けるようにしてもよい。
【００１２】
周期データは周期的（間欠的）に訪れる時点のそれぞれを特定するデータであり，同一の予定内容の（実行，実施，または実践の）繰返しの日（日時）を規定する。周期データは，好ましくは時刻，日，曜日，週，月またはこれらの組合せによって定められる。たとえば，毎時，毎日，特定曜日，毎週，毎月などが周期データによって定められる周期である。毎日の午前７時と午後０時と午後７時といった「日」と「時刻」との組合せも周期データによって規定される。
【００１３】
期間データと周期データとによって，予定内容についての複数の特定の日（日時）が定まる。予定展開データのそれぞれは，予定内容の実行，実施または実践すべき日または日時を含むものとなる。
【００１４】
この発明によると，周期データによって予定内容の将来の実行，実施または実践の日時が集約的に規定されるので，繰返し訪れる予定について，その一つ一つの予定日（予定時刻）を入力する必要がない。繰返しを伴う予定入力を容易に行うことができる。
【００１５】
一実施態様では，スケジュール管理装置には，上記レコードを読込む読込み手段，一方向に時間目盛をもつ背景上の，上記期間データによって規定される位置に，上記期間データによって規定される長さを持つバーを，上記予定内容とともに表示するバー表示手段，ならびに上記バー表示手段によって表示されるバーに重ね合わせて，上記予定展開データのそれぞれによって規定される位置に，予定欄を表示する予定欄表示手段が備えられる。繰返される予定内容の実施予定日時等が分かりやすく示される。
【００１６】
上記予定展開データのそれぞれに，予定内容の未実施，実施済または実施の中止のいずれかを表すデータを含ませてもよい。上記予定欄のそれぞれに，上記予定展開データに対応して，予定内容が未実施であること，実施済であること，または実施が中止されたことをマーク（空欄を含む）によって表わすことができる。スケジュール管理装置を，記録の管理装置としても利用することができる。
【００１７】
好ましくは，予定欄のそれぞれについて，予定内容の実施済または中止の入力を受付ける実績入力手段，上記実績入力手段によって予定内容の実施済または中止の入力が受付けられたときに，その予定欄に，予定内容の実施済または中止を表すマークを表示するとともに，上記予定展開データに，予定内容の実施済または中止を表すデータを含ませる（未実施を表すデータが，実施済みまたは中止を表すデータに更新されることを含む）。
【実施例】
【００１８】
図１は，施設ケア管理システムの全体的構成を示すブロック図である。
【００１９】
施設ケア管理システムは，ネットワーク（インターネット，イントラネット等）に接続されたデータベース・サーバ（コンピュータ）１，医師・専門職員用クライアント（コンピュータ）２および看護現場・介護現場用クライアント（コンピュータ）３を含む。
【００２０】
データベース・サーバ１には，オーダー指定マスタ・データベース11，オーダー時刻区分マスタ・データベース12，オーダー時刻詳細区分マスタ・データベース13およびオーダー記録データベース14が設けられている。これらのデータベース11〜14は，医師・専門職員用クライアント２および看護現場・介護現場用クライアント３における処理（入力処理，表示処理等）に用いられる。これらのデータベース11〜14の詳細，およびデータベース11〜14を用いた医師・専門職員用クライアント２および看護現場・介護現場用クライアント３における処理の詳細は後述する。
【００２１】
医師・専門職員用クライアント２および看護現場・介護現場用クライアント３が，施設（施設ケア管理システムを利用している施設）の職員によって操作されるコンピュータ装置である。
【００２２】
医師・専門職員用クライアント２は，医師，専門職員（技師等）などが操作するコンピュータ装置であり，主に介護職員，看護職員等が施設利用者に対して実施すべき介護内容，看護内容等を指示（オーダー）するために用いられる。医師，専門職員の指示（オーダー）にしたがって，介護職員，看護職員等は，医師等からの指示に基づくサービス（たとえば，施設使用者に与える食事をきざみ食にする，ビタミン剤を与える，腹痛時に○○する等）を実行（実践）する。
【００２３】
看護現場・介護現場用クライアント３は，介護職員，介護職員などが操作するコンピュータ装置であり，主に，医師，専門職員などからの指示内容の確認と，施設利用者に対して，医師等からの指示内容を実施したこと（実施が中止されたことを含む）（実績）の入力に用いられる。
【００２４】
データベース・サーバ１，医師・専門職員用クライアント２，看護現場・介護現場用クライアント３は，いずれもパーソナル・コンピュータ，ワークステーション等で実現され，ＣＰＵ，入力装置（マウス，キーボード等），表示装置（ＣＲＴ表示装置，液晶表示装置），メモリ，通信装置（モデム，ＬＡＮアダプタ等），ハードディスク等を含む。看護現場・介護現場用クライアント３は，指示内容の確認および実施入力に機動性を持たせるようにするために，電子手帳等の携帯型のコンピュータ装置としてもよい。また，医師・専門職員用クライアント２および看護現場・介護現場用クライアント３は複数台でもよい。
【００２５】
図２は，ある特定の施設利用者についてのオーダー内容の予定状況／実施状況を，医師・専門職員用クライアント２または看護現場・介護現場用クライアント３の表示装置の表示画面に表示した一例（以下，ケア予定／実施画面Ｗ１という）を示している。
【００２６】
ケア予定／実施画面Ｗ１には，横方向に時間軸（時間目盛）が設定されて区分されている。縦方向にはオーダー種別が設定されて区切られている。
【００２７】
オーダー種別には，食事指示，投薬指示，指示簿指示等がある。オーダー種別ごとの区画（ケア予定／実施画面Ｗ１における横方向にのびる区画）内には，オーダー種別に属するオーダー内容ごとに，期間バーＡ，期間文字表示Ｂおよびオーダー内容付箋Ｃ（これら期間バーＡ，期間文字表示Ｂおよびオーダー内容付箋Ｃは組になっている）が表示される。たとえば，オーダー種別「食事指示」に属するオーダー内容には，「きざみ食」，「７分食」（基本量の７０％の量とすること），「流動食」などがある。オーダー内容付箋Ｃ中に，オーダー内容が文字表示される。期間バーＡ，期間文字表示Ｂおよびオーダー内容付箋Ｃは，オーダー内容付箋Ｃに示されているオーダー内容を，期間バーＡおよび期間文字表示Ｂによって表される期間中に，施設利用者に対して施すべきことを意味する。期間バーＡは，期間文字表示Ｂに表される期間に対応する長さで，時間目盛における対応する位置に表される。
【００２８】
期間バーＡに重合わされて，矩形のチェックボックスＤを表示することができる。この矩形のチェックボックスＤは，その期間バーＡに付随するオーダー内容付箋Ｃのオーダー内容を実施すべきおおよその予定日時と，そのオーダー内容が未実施であるか，実施済みであるか，または中止されたかを表す。未実施段階ではチェックボックスＤは空欄である。看護師等によってオーダー内容が施設利用者に対して実施され，チェックボックスＤがチェックされると，チェックされたチェックボックスＤにはチェック記号（レ点）が表示される（以下，実施済みチェックという）。実施予定であったにもかかわらずオーダー内容の実施が行われなかった（中止された）場合には，看護師等によってその旨（実施中止）が入力され，この場合にはチェックボックスＤには×記号が表示される（以下，実施中止チェックという）。
【００２９】
期間バーＡ上に，矩形のチェックボックスを伴わずに，実施済みチェックを表示することもできる（図２において，オーダー種別「指示簿指示」を参照）。これは，実施予定日時は決められていないが，実施済みチェックが位置する日時に，オーダー内容が実施されたことを表す。
【００３０】
ケア予定／実施画面Ｗ１に表示されるオーダー種別，期間バーＡ，期間文字表示Ｂ，オーダー内容付箋Ｃ，期間バーＡ上のチェックボックスＤ，実施済みチェック，実施中止チェックは，次に説明するように，施設利用者ごとに作成されるオーダー記録ファイルに基づいて表示される。
【００３１】
図３は，データベース・サーバ２のオーダー記録データベース14に格納されるオーダー記録ファイルを示している。このオーダー記録ファイルに基づいて，図２に示すケア予定／実施画面Ｗ１が構成される。
【００３２】
オーダー記録ファイルには，オーダー内容ごとにレコード（以下，オーダー・レコードという）が設けられる。各オーダー・レコードは，記録対象名フィールド，記録番号フィールド，開始日時フィールド，終了日時フィールド，オーダー種別フィールド，オーダー内容フィールド，およびＸＭＬデータ・フィールドを含む。
【００３３】
オーダー記録ファイルは，上述のように，施設利用者ごとに作成される。記録対象名フィールドに，施設利用者の氏名が格納される。もちろん，施設利用者に固有のＩＤ（数字等）を記録対象フィールドに格納してもよい。
【００３４】
記録番号フィールドに，各オーダー・レコードに固有の番号（連番）が格納される。
【００３５】
開始日時フィールド，終了日時フィールドは，オーダー内容（たとえば，「きざみ食」）を，いつからいつまで利用者に対して実施するか（実施予定期間，予定有効期間）を表す。オーダー種別およびオーダー内容については，上述した通りである。
【００３６】
ＸＭＬデータ・フィールドには，実施予定周期情報および実施予定日時／実施情報が，ＸＭＬデータ形式で格納される。ＸＭＬデータ・フィールドに格納されるデータ（ＸＭＬデータ）の一例が，図４に示されている。図４はオーダー内容「きざみ食」についてのＸＭＬデータの例である。なお，図４に示すＸＭＬデータにおいて，左側の数字は行番号を示しており，ＸＭＬデータを構成するものではない。
【００３７】
図４を参照して，このＸＭＬデータには，第３行目の＜Plans＞と第１０行目の＜/Plans＞との間に実施予定周期情報が格納（記述）され，第１１行目の＜Sched＞と第ｍ行目の＜/Sched＞との間に実施予定日時／実施情報が格納（記述）されている。
【００３８】
実施予定周期情報には，繰返しを伴う実施予定に関するデータ記述を含ませることができる。繰返しを伴う実施予定に関するデータ記述には，「日付」，「曜日」，「週」，「月」に関する繰返しを伴う実施予定に関するデータ記述と，「時刻」に関する繰返しを伴う実施予定に関するデータ記述とを含ませることができる。
【００３９】
図４に示すＸＭＬデータにおいて，第４行目の＜dates every="1" w1="0",w2="0",w3="0" w4="0" w5="0" w6="0" ＞が，「日付」に関する繰返しを伴う実施予定に関するデータ記述である。第４行目の記述では「every="1" 」と記述されている。これは，「毎日」の実施予定であることを示す。すなわち，オーダー内容「きざみ食」は，上述した開始日時から終了日時までの期間中，毎日実施されるべきものであることを示す。
【００４０】
実施予定周期情報には，上述した「毎日」の他，「毎週の特定曜日」，「第１週目および第３週目の特定曜日」，「毎月の特定日」といった繰返しを伴う実施予定も記述することができる。
【００４１】
図４に示すＸＭＬデータにおいて，第５行目〜第９行目の記述（＜times＞と＜/times ＞との間の記述）が，「時刻」に関する繰返しを伴う実施予定に関するデータ記述である。たとえば，第６行目の＜tsv kbn="1" knm="定時指定" stm="7:30" etm="7:30"＞朝食時＜/tsv＞という記述は，「定時指定」の区分（この区分については，後述する）であって，開始時刻が午前７時３０分，終了時刻が午前７時３０分であり，「朝食時」の時刻指定であることを意味する。
【００４２】
実施予定日時／実施情報（第１１行目の＜Sched ＞と第ｍ行目の＜/Sched＞との間の記述）は，上述した繰返しを伴う実施予定を，実際の日付および時刻を用いて表したもの（展開したもの）である。すなわち，オーダー・レコード（図３）の開始日時から終了日時までの期間内における，上述した実施予定周期情報によって特定される日時のそれぞれについての記述が，実施予定日時／実施情報に含まれる。
【００４３】
実施予定日時／実施情報のそれぞれ（第12行〜第ｍ−１行までのそれぞれ）には，その実施予定日時におけるオーダー内容（きざみ食）が，未実施であるか（予定段階であるか），実施済みであるか，中止されたかを表す情報が付随する。
【００４４】
たとえば，図４に示すＸＭＬデータの第１２行目の＜sch sdt="2005-04-25" 07:30" edt="2005-04-25 07:30" stat="1">朝食時＜/sch＞という記述は，２００５年４月２５日の午前７時３０分から午前７時３０分までの間の「朝食時」におけるオーダー内容（きざみ食）が，実施された（stat="1"）ことを意味する記述である。未実施段階であれば「stat="0"」となる。中止された場合には「stat="2"」となる。
【００４５】
上述したＸＭＬデータに記述可能なタグ（要素，属性），タグ同士の階層関係，各タグの説明，データ型，および数値が表す内容（備考）を，図５に示しておく。
【００４６】
図６はオーダー指定マスタ・データベース11（以下，オーダー指定マスタ11という）の内容を，図７はオーダー時刻区分マスタ・データベース12（以下，オーダー時刻区分マスタ12という）を，図８はオーダー時刻詳細区分マスタ・データベース13（以下，オーダ時刻詳細区分マスタ13という）の内容をそれぞれ示している。上述したように，これらのマスタ・データベース11，12，13は，データベース・サーバ２に設けられている。
【００４７】
オーダー指定マスタ11（図６）は，医師・専門職員等が，施設利用者に対して実施すべきオーダー内容を指定するときに用いられる。オーダー指定マスタ11は，複数のオーダー種別（食事指示，投薬指示等）と，各オーダー種別に属する複数のオーダー内容（きざみ食，７分食等）とを含む。医師等は，後述するように，オーダー内容を指定（指示，選択）する場合，オーダー指定マスタ11中に格納されているオーダー種別のいずれかを選択して，かつ選択したオーダー種別に属するオーダー内容のいずれかを選択することによって，施設利用者に対して実施すべきオーダー内容を指定する。
【００４８】
オーダー時刻区分マスタ12（図７）と，オーダー時刻詳細区分マスタ13（図８）は，上述したオーダー指定マスタ11を用いて指定されたオーダー内容を，いつ（どのようなタイミングで），施設利用者に対して実施すべきかを指定するときに用いられる。
【００４９】
オーダー時刻区分マスタ12（図７）には，大区分（「定時指定」，「業務指定」，「随時指定」）と，小区分（「毎食事時」，「睡眠前後」など）が格納されている。
【００５０】
オーダー内容の中には，施設利用者に対してほぼ定刻に行われるものがある。「定時指定」は，ほぼ定刻に行われるオーダー内容の実施日時についての指定区分であり，その小区分に，「毎食事時」，「睡眠前後」などが含まれている。
【００５１】
オーダー内容の中には施設職員等がほぼ定刻に行う業務がある。「業務指定」は，施設職員がほぼ定刻に行うオーダー内容の実施日時についての区分であり，その小区分に，「巡回時」，「排泄介助時」などが含まれている。
【００５２】
オーダー内容の中には，施設利用者の状態（体調）に合わせて行われる業務がある。「随時指定」は，そのような施設利用者の状態に合わせて行われるオーダー内容の実施日時についての区分であり，その小区分には「体調変化時」などが含まれている。
【００５３】
オーダー時刻詳細区分マスタ13（図８）には，上述した小区分（「毎食事時」，「睡眠前後」など）のそれぞれについて，さらにその詳細内容が格納されている。たとえば，上述した小区分「毎食事時」に対応して，「朝食時」，「昼食時」および「夕食時」の３つの項目が格納され，これらのそれぞれについて，開始時刻および終了時刻が格納されている。
【００５４】
なお，大区分「随時指定」に含まれる小区分（体調変化時など）については，開始時刻および終了時刻は格納されない（もちろん，格納することもできる）。
【００５５】
図９は，医師・専門職員用クライアント２の動作の流れを示すフローチャートである。
【００５６】
医師・専門職員用クライアント２が起動されると（ステップ31）（たとえばプログラム実行ファイル・アイコンがダブル・クリックされると），データベース・サーバ１に設けられているオーダー指定マスタ11，オーダー時刻区分マスタ12，およびオーダー時刻詳細区分マスタ13が，データベース・サーバ１から医師・専門職員用クライアント２に送信される。オーダー指定マスタ11，オーダー時刻区分マスタ12，およびオーダー時刻詳細区分マスタ13は，医師・専門職員用クライアント２のメモリに格納される（ステップ32）。
【００５７】
オーダー対象者（施設利用者）の選択が行われる（ステップ33）。データベース・サーバ２から，オーダー記録データベース14に記憶されているオーダー記録ファイル（図３参照）のそれぞれに含まれている記録対象者名のデータが医師・専門職員用クライアント２に送信され，施設利用者名が一覧表示される。施設利用者名の一覧表示の中から，オーダー対象者が選択される。
【００５８】
オーダー対象者が選択されると，選択されたオーダー対象者についてのオーダー記録ファイルが，データベース・サーバ１のオーダー記録データベース14から読出されて，医師・専門職員用クライアント２に送信される。オーダー記録ファイルは，医師・専門職員用クライアント２のメモリに格納される（ステップ34）。
【００５９】
オーダー記録ファイルに基づいて，医師・専門職員用クライアント２の表示画面上に，ケア予定／実施画面Ｗ１（図２）が表示される（ステップ35）。
【００６０】
医師等は，選択したオーダー対象者に対して，今回指示するオーダー種別とオーダー内容を選択する（ステップ36）。図10は，オーダー種別およびオーダー内容を選択するときに用いられるオーダー選択ウインドウＷ２の一例を示している。
【００６１】
オーダー選択ウインドウＷ２は，オーダー種別選択欄Ｗ２ａおよびオーダー内容選択欄Ｗ２ｂを含む。
【００６２】
オーダー種別選択欄Ｗ２ａおよびオーダー内容選択欄Ｗ２ｂには，上述したオーダー指定マスタ11（図６）に基づく表示（オーダー種別表示およびオーダー内容表示）が行われる。オーダー種別選択欄Ｗ２ａの右側のドロップダウン・ボタンＷ２ｅが，マウスが用いられて押下されると（マウスカーソルがドロップダウン・ボタンＷ２ｅの位置に重ね合わされ，かつその状態でマウスボタンがクリックされると），オーダー種別選択欄Ｗ２ａには，オーダー指定マスタ11に格納されている複数のオーダー種別が一覧表示される（食事指示，投薬指示，指示簿指示など）。指示すべきオーダー内容に対応するオーダー種別（食事指示，投薬指示，指示簿指示などのうちのいずれか）が，医師等によってオーダー種別選択欄Ｗ２ａに選択表示される。
【００６３】
オーダー種別が選択されると，選択されたオーダー種別に属するオーダー内容が，オーダー内容選択欄Ｗ２ｂに一覧に表示される（オーダー指定マスタ11に基づく表示である）。医師等は，オーダー内容選択欄Ｗ２ｂに表示されているオーダー内容の中から，施設利用者に対して施すべきオーダー内容を選択する。オーダー内容については，医師等が入力装置（キーボード）から直接入力したもの（文字列）であってもよい。
【００６４】
オーダー内容が選択された後，確定ボタンがクリックされると，オーダー選択ウインドウＷ２は表示画面上から消え，かつケア予定／実施画面Ｗ１中に，選択されたオーダー内容についての付箋（オーダー内容付箋Ｃ）が現れる。オーダー内容付箋Ｃは，ケア予定／実施画面Ｗ１において，選択されたオーダー種別についての区画内に表示されるのは言うまでもない。なお，この時点では，上述した期間バーＡおよび期間文字表示Ｂの表示はなく，オーダー内容付箋Ｃのみがケア予定／実施画面Ｗ１に表示される。
【００６５】
図９に戻って，医師等は，選択したオーダー内容の実施期間および実施日時を指示する（ステップ37）。
【００６６】
図11は，オーダー内容を実施すべき期間および実施日時を指示するためのウインドウ（オーダリング設定ウインドウＷ３）の一例を示している。オーダリング設定ウインドウＷ３は，オーダー内容付箋Ｃの右下のアイコンＥ（図２参照）をクリックすることによって表示画面上に現れる。
【００６７】
オーダリング設定ウインドウＷ３は，実施期間指定欄Ｗ３ａ，日付指定欄Ｗ３ｂ，時刻指定欄Ｗ３ｃ，および展開表示欄Ｗ３ｄを含む。
【００６８】
実施期間指定欄Ｗ３ａは，開始日入力欄と終了日入力欄の２つの日付入力欄を含む。開始日入力欄に，オーダー内容の実施を開始すべき日が，終了日入力欄にオーダー内容の実施を終了すべき日が，それぞれ入力される。なお，終了日入力欄には，具体的な日付の他に，「未定」という指定を入力することもできる。
【００６９】
日付指定欄Ｗ３ｂには，「曜日繰返し指定」タブ61と「日付繰返し指定」タブ62とが用意されている。
【００７０】
曜日繰返し指定タブ61が選択されている状態において，日付指定欄Ｗ３ｂには，その上段と下段とに２つのチェック領域が表示される。
【００７１】
上段は，チェック欄「毎日」と，チェック欄「日」，「月」，「火」，「水」，「木」，「金」，「土」から構成される領域（以下，第１チェック領域という）である。チェック欄「毎日」がチェックされると，チェック欄「日」，「月」，「火」，「水」，「木」，「金」，「土」は，グレーアウト表示になる（選択不可能な状態）。チェック欄「毎日」のチェックが外されると，チェック欄「日」，「月」，「火」，「水」，「木」，「金」，「土」のそれぞれについてチェック可能になる。
【００７２】
日付指定領域Ｗ３ｂの上段の第１チェック領域では，「毎日」または「特定曜日」の指定を行うことができる。
【００７３】
下段は，チェック欄「週限定条件」およびチェック欄「第１週」，「第２週」，「第３週」，「第４週」，「第５週」，「第６週」から構成される領域（以下，第２チェック領域という）である。チェック欄「週限定条件」にチェックが入れられると，チェック欄「第１週」，「第２週」，「第３週」，「第４週」，「第５週」，「第６週」がチェック可能になる。特定週のみにオーダー内容を実施すべきとき（実施すべき週を限定するとき）に，この第２チェック領域が用いられる。
【００７４】
日付繰返し指定タブ62が選択されると，日付指定領域Ｗ３ｂには，図12に示すカレンダーが表示される。
【００７５】
図12に示すカレンダーは，たとえば，月単位の特定の日（毎月１日など）を指定する場合に用いられる。
【００７６】
時刻指定欄Ｗ３ｃには，オーダ時刻区分マスタ12（図７）とオーダー時刻詳細区分マスタ13（図８）に基づく画面表示が行われる。
【００７７】
時刻指定欄Ｗ３ｃは，時刻大区分選択欄Ａ，時刻小区分選択欄Ｂ，時刻詳細選択欄Ｃを含んでいる。
【００７８】
時刻大区分選択欄Ａには，オーダ時刻区分マスタ12（図７）に格納されている時刻指定大区分に基づく表示が行われる。すなわち，時刻大区分選択欄Ａの右側のドロップダウン・ボタンがクリックされると，時刻大区分選択欄Ａには，オーダ時刻区分マスタ12（図７）に基づいて，「定時指定」，「業務指定」および「随時指定」が文字表示される。医師等によって，「定時指定」，「業務指定」および「随時指定」のいずれかが，時刻大区分表示欄Ａに選択表示される。
【００７９】
時刻大区分選択欄Ａにおいて選択された時刻指定大区分（定時指定，業務指定または随時指定のいずれか）に付随する小区分（図７参照）が，時刻小区分選択欄Ｂに一覧に表示される。
【００８０】
時刻小区分選択欄Ｂに一覧に表示される時刻指定小区分のそれぞれは，チェックボックスが付随している。医師等は，チェックボックスをチェックする（またはチェックを外す）ことにより，オーダー内容を実施すべき時刻指定小区分を入力（選択）する。
【００８１】
オーダー時刻詳細区分マスタ13（図８）に基づいて，選択された時刻指定小区分に付随する時刻詳細区分が，時刻詳細選択欄Ｃにチェックボックスとともに表示される。医師等は，チェックボックスをチェックする（またはチェックを外す）ことにより，オーダー内容を実施すべき時刻を入力（選択）する。
【００８２】
予定展開ボタン63がクリックされると，展開表示欄Ｗ３ｄに，期間指定欄Ｗ３ａが用いられて入力された開始日から終了日までの期間内における，日付指定欄Ｗ３ｂおよび時刻指定欄Ｗ３ｃが用いられて選択された繰返しを伴う実施予定によって特定される日時が表示される（ステップ38：展開処理）。なお，実施期間指定欄Ｗ３ａの終了日入力欄に「未定」が入力されている場合には，たとえば，開始日から１年後までの期間範囲で，展開処理が行われる。
【００８３】
オーダリング設定ウインドウの右下の確定ボタンがクリックされると，メモリに読み込まれているオーダー記録ファイルに新たなレコードが作成（追加）される（ステップ39）。追加されたレコードには，記録番号が付与され，かつオーダー選択ウインドウＷ２およびオーダリング設定ウインドウＷ３が用いられて入力されたデータ（開始日時，終了日時，オーダー種別，オーダー内容，ＸＭＬデータ（実施予定周期情報および実施予定日時／実施情報）が，オーダー記録者名（施設利用者名）とともに格納される（図３参照）。
【００８４】
また，確定ボタンがクリックされると，オーダリング設定ウインドウＷ３は表示画面から消え，ケア予定／実施画面Ｗ１に，新たに作成されたオーダー・レコードに基づくオーダー内容の実施予定（期間バーＡ，期間文字表示Ｂおよびオーダー内容付箋Ｃ）が表示される。また，ＸＭＬデータ中の実施予定日時／実施情報（上述した展開処理によって得られたものである）に基づいて，期間バーＡ上には，矩形のチェックボックスＤが表示される（図２）。オーダー・レコードが作成された時点では，矩形のチェックボックスＤのそれぞれは空欄（未実施であることを表す）であるのは言うまでもない。
【００８５】
医師等によるデータベース保存指示の入力に応じて（たとえば，オーダー内容付箋Ｃにアイコン表示されているピンのクリックに応じて），医師・専門職用クライアント２のメモリに記憶されているオーダー記録ファイルが医師・専門職用クライアント２からデータベース・サーバ１に送信される（ステップ40）。データベース・サーバ１において，オーダー記録ファイルがオーダー記録データベース14に格納（更新）される。
【００８６】
図13は，看護現場・介護現場用クライアント３の処理の流れを示すフローチャートである。
【００８７】
看護現場・介護現場用クライアント３が起動される（ステップ51）と，オーダー記録データベース14に記憶されているオーダー記録ファイル（図３参照）中の記録対象者名のデータが，データベース・サーバ２から看護現場・介護現場用クライアント３に送信される。一覧表示された施設利用者名の中から，オーダー予定を確認すべき（または実施実績を入力すべき）施設利用者が選択される（ステップ52）。
【００８８】
施設利用者が選択されると，選択された施設利用者についてのオーダー記録ファイルが，データベース・サーバ１のオーダー記録データベース14から読出されて，看護現場・介護現場用クライアント３に送信される。オーダー記録ファイルは，看護現場・介護現場用クライアント３のメモリに格納される（ステップ53）。
【００８９】
オーダー記録ファイルに基づいて，看護現場・介護現場用クライアント３の表示画面上に，ケア予定／実施画面Ｗ１（図２）が表示される（ステップ54）。
【００９０】
ケア予定／実施画面Ｗ１（図２）には，施設利用者に対して実施すべきオーダー内容がオーダー内容付箋Ｃ中に文字表示され，かつオーダー内容を実施すべきおおよその時刻がチェックボックスによって表されている。看護師等は，ケア予定／実施画面Ｗ１に基づいて，施設利用者に対して行うべきオーダー内容とその実施時刻を把握することができる。
【００９１】
看護師等は，施設利用者に対してオーダー内容を実施した後，実施した日時に対応する位置の期間バーＡ上のチェックボックスＤをチェックする。マウス（または入力ペン）を用いてチェックボックスＤをクリック（タッチ）すると，空欄であったチェックボックスＤには，実施済みチェック（レ点）が表示される。再度チェックボックスＤをクリックすると，実施済みチェック（レ点）が実施中止チェック（×印）に切替わる（さらにチェックボックスＤをクリックすると，実施中止チェック（×印）がチェックボックスＤから消え，空欄に戻る）。看護師等は，実施状況に合わせて，チェックボックスＤに実施済みチェックまたは実施中止チェックを入力する（ステップ55）。
【００９２】
チェックボックスＤのチェックに基づいて，チェックされたオーダー内容に対応するオーダー・レコード中の実施予定日時／実施情報の記述（図４参照）が更新される。すなわち，チェックされたチェックボックスＤに対応する実施予定日時／実施情報の記述の「stat="0"」（未実施を意味する）が，「stat="1"」（実施済み）または「stat="2"」（実施中止）に更新される（ステップ56）。
【００９３】
看護師等によるデータベース保存指示の入力に応じて（たとえば，オーダー内容付箋Ｃにアイコン表示されているピンのクリックに応じて），看護現場・介護現場用クライアント３のメモリに記憶されているオーダー記録ファイルが看護現場・介護現場用クライアント３からデータベース・サーバ１に送信される（ステップ57）。データベース・サーバ１において，オーダー記録ファイルがオーダー記録データベース14に格納（更新）される。
【００９４】
上述した実施例では，期間バーＡ（およびチェックボックスＤ），期間文字表示Ｂおよびオーダー内容付箋Ｃを含むケア予定／実施画面Ｗ１（図２）が医師・専門職員用クライアント２または看護現場・介護現場用クライアント３の表示装置の表示画面に表示されるが，ケア予定／実施画面Ｗ１（図２）に代えて，図14に示すワークシート画面（ウインドウ）Ｗ４を，医師・専門職員用クライアント２または看護現場・介護現場用クライアント３の表示装置の表示画面に表示してもよい。ワークシート画面（ウインドウ）Ｗ４（図14）には，オーダー記録ファイル（図３）に基づいて，実施予定日（実施日）（日付），実施時刻（開始時刻，終了時刻），オーダー種別，オーダー内容および実施状況（「実施」，「中止」または空欄（空欄は未実施を示す））が，日付ごとにまとめられて表示される。施設利用者に対して一日（特定の日）に実施すべきオーダー内容が，分かりやすく表示される。もちろん，ケア予定／実施画面Ｗ１（図２）とワークシート画面（ウインドウ）Ｗ４（図14）の両方を一つの画面上に表示させるようにしてもよいし，医師・専門職員用クライアント２または看護現場・介護現場用クライアント３に与えられる指示に応じて，ケア予定／実施画面Ｗ１（図２）とワークシート画面（ウインドウ）Ｗ４（図14）の表示を切替えるようにしてもよい。
【図面の簡単な説明】
【００９５】
【図１】施設ケア管理システムの全体的構成を示すブロック図である。
【図２】ケア予定／実施画面の一例を示す。
【図３】オーダー記録ファイルを示す。
【図４】ＸＭＬデータの記述例を示す。
【図５】ＸＭＬデータのレイアウトを示す。
【図６】オーダー指定マスタのデータ内容を示す。
【図７】オーダー時刻区分マスタのデータ内容を示す。
【図８】オーダー時刻詳細区分マスタのデータ内容を示す。
【図９】医師・専門職員用クライアントの動作の流れを示すフローチャートである。
【図１０】オーダー選択ウインドウの一例を示す。
【図１１】オーダリング設定ウインドウの一例を示す。
【図１２】オーダリング設定ウインドウにおいて，日付繰返し指定タグが選択されたときの表示例を示す。
【図１３】看護現場・介護現場用クライアントの処理の流れを示すフローチャートである。
【図１４】ワークシート画面の一例を示す。
【符号の説明】
【００９６】
１  データベース・サーバ
２  医師・専門職員用クライアント
３  看護現場・介護現場用クライアント
Ｗ１  ケア予定／実施画面
Ｗ２  オーダー選択ウインドウ
Ｗ３  オーダリング設定ウインドウ
【図１】
2007025737.tif 000003
【図２】
2007025737.tif 000004
【図３】
2007025737.tif 000005
【図４】
2007025737.tif 000006
【図５】
2007025737.tif 000007
【図６】
2007025737.tif 000008
【図７】
2007025737.tif 000009
【図８】
2007025737.tif 000010
【図９】
2007025737.tif 000011
【図１０】
2007025737.tif 000012
【図１１】
2007025737.tif 000013
【図１２】
2007025737.tif 000014
【図１３】
2007025737.tif 000015
【図１４】
2007025737.tif 000016